(57)【要約】【課題】子どもであっても簡単に、筒型飛行体を発射して飛行させることができる筒型飛行体発射装置を提供する。【解決手段】筒型飛行体発射装置１の装置本体２には、筒型飛行体７６を取り付けるガイド軸４０と、回転体２６と、回転体２６を強制的に回転させる付勢手段３０と、ガイド軸４０に取り付けられた筒型飛行体７６と回転体２６を接離させる接離装置５０が設けられている。付勢手段３０は、回転体２６に連係された歯車３２と、この歯車３２と噛み合うラック部材３５とによって構成されている。接離装置５０は、ガイド軸４０の軸方向を変えないようにしてガイド軸４０を回転体２６に接離させる。ガイド軸４０の周面４１には、螺旋状の突起４２が複数形成されている。【選択図】        図１
2004229871.tif 000002
【特許請求の範囲】
【請求項１】
装置本体には、筒型飛行体を取り付けるガイド軸と、前記ガイド軸と接触可能な回転体と、回転体を強制的に回転させる付勢手段とが設けられていることを特徴とする筒型飛行体発射装置。
【請求項２】
ガイド軸に取り付けられた筒型飛行体と回転体を接離させる接離装置が設けられていることを特徴とする請求項１記載の筒型飛行体発射装置。
【請求項３】
付勢手段は、回転体に連係された歯車と、この歯車と噛み合うラック部材とによって構成されていることを特徴とする請求項１乃至２記載の筒型飛行体発射装置。
【請求項４】
付勢手段は、回転体に直接又は複数の歯車を介して連係された駆動モータと、駆動モータに電気を供給する供給手段と、供給手段をＯＮ・ＯＦＦするスイッチとによって構成されていることを特徴とする請求項１乃至２記載の筒型飛行体発射装置。
【請求項５】
付勢手段は、回転体に連係された歯車と、この歯車と噛み合い可能な駆動歯車と、この駆動歯車を回転させるゼンマイと、このゼンマイを巻き上げる紐部材とによって構成されていることを特徴とする請求項１乃至２記載の筒型飛行体発射装置。
【請求項６】
接離装置は、ガイド軸の軸方向を変えないようにしてガイド軸を回転体に接離させるものであることを特徴とする請求項２記載の筒型飛行体発射装置。
【請求項７】
接離装置は、ガイド軸を取り付ける取付枠と、取付枠を装置本体に回動自在に連結する連結リンク部材と、連結リンク部材を操作する操作手段とからなることを特徴とする請求項６記載の筒型飛行体発射装置。
【請求項８】
ガイド軸の周面には、複数の突起が形成され、該突起はガイド軸の軸方向の周囲を巡る螺旋状に形成されていることを特徴とする請求項１乃至７のいずれか１項に記載の筒型飛行体発射装置。
【請求項９】
回転体は、回転方向がガイド軸の螺旋状の突起と略平行となるように取り付けられていることを特徴とする請求項８記載の筒型飛行体発射装置。
【請求項１０】
ガイド軸には、回転体と略同じ回転方向に回転可能なガイドローラが回動自在に設けられ、筒型飛行体を回転体とガイドローラで挟持できるようになっていることを特徴とする請求項１乃至９のいずれか１項に記載の筒型飛行体発射装置。
【発明の詳細な説明】
【０００１】
【発明の属する技術分野】
本願発明は、筒型飛行体を発射する装置に関する。
【０００２】
【従来の技術】
従来、筒型飛行体は、筒状に形成された本体を把持し、開口部を飛ばす方向に向けて、本体を回転させるようにして投げると、本体内に空気が流れるようにして飛行する（例えば、特許文献１）。また、回転体を使った発射装置は、回転体をラックとピニオンで回転させ、この回転している回転体に玉を乗せると、回転体により玉が発射させられる（例えば、特許文献２）。
【０００３】
【特許文献１】
特開昭５４−２６１４４号公報
【特許文献２】
実開平１−６２８９６号公報
【０００４】
【発明が解決しようとする課題】
上記従来の筒型飛行体は、開口部を飛ばす方向に向けて、本体を回転させるようにして投げなければ、所望する方向に飛ばすことが出来ず、そのため経験とある程度の力が必要であり、子どもにとって飛ばすことは難しいという問題点があった。また、回転体に玉を乗せて発射する発射装置はあったが、上記筒型飛行体を発射して飛行させる発射装置は存在しなかった。
【０００５】
本願発明は、上記問題点に鑑み発明されたものであって、子どもであっても簡単に、筒型飛行体を発射して飛行させることができる筒型飛行体発射装置を提供することを目的とする。
【０００６】
【課題を解決するための手段】
本願請求項１記載の筒型飛行体発射装置は、上記目的を達成するため、装置本体には、筒型飛行体を取り付けるガイド軸と、前記ガイド軸と接触可能な回転体と、回転体を強制的に回転させる付勢手段とが設けられている。
【０００７】
本願請求項２記載の筒型飛行体発射装置は、上記目的を達成するため、上記ガイド軸に取り付けられた筒型飛行体と回転体を接離させる接離装置が設けられている。
【０００８】
本願請求項３記載の筒型飛行体発射装置は、上記目的を達成するため、上記付勢手段は、回転体に連係された歯車と、この歯車と噛み合うラック部材とによって構成されている。
【０００９】
本願請求項４記載の筒型飛行体発射装置は、上記目的を達成するため、上記付勢手段は、回転体に直接又は複数の歯車を介して連係された駆動モータと、駆動モータに電気を供給する供給手段と、供給手段をＯＮ・ＯＦＦするスイッチとによって構成されている。
【００１０】
本願請求項５記載の筒型飛行体発射装置は、上記目的を達成するため、上記付勢手段は、回転体に連係された歯車と、この歯車と噛み合い可能な駆動歯車と、この駆動歯車を回転させるゼンマイと、このゼンマイを巻き上げる紐部材とによって構成されている。
【００１１】
本願請求項６記載の筒型飛行体発射装置は、上記目的を達成するため、上記接離装置は、ガイド軸の軸方向を変えないようにしてガイド軸を回転体に接離させるものである。
【００１２】
本願請求項７記載の筒型飛行体発射装置は、上記目的を達成するため、上記接離装置は、ガイド軸を取り付ける取付枠と、取付枠を装置本体に回動自在に連結する連結リンク部材と、連結リンク部材を操作する操作手段とからなる。
【００１３】
本願請求項８記載の筒型飛行体発射装置は、上記目的を達成するため、上記ガイド軸の周面には、複数の突起が形成され、該突起はガイド軸の軸方向の周囲を巡る螺旋状に形成されている。
【００１４】
本願請求項９記載の筒型飛行体発射装置は、上記目的を達成するため、上記回転体は、回転方向がガイド軸の螺旋状の突起と略平行となるように取り付けられている。
【００１５】
本願請求項１０記載の筒型飛行体発射装置は、上記目的を達成するため、上記ガイド軸には、回転体と略同じ回転方向に回転可能なガイドローラが回動自在に設けられ、筒型飛行体を回転体とガイドローラで挟持できるようになっている。
【００１６】
【発明の実施の形態】
本願発明に係る筒型飛行体発射装置の実施の形態を、図１乃至図１１に基づいて説明する。図１は、本願発明に係る筒型飛行体発射装置の一つの実施の形態を示す全体斜視図である。図２は、図１の筒型飛行体発射装置の動きを説明する全体斜視図である。図３は、図１の筒型飛行体発射装置の透視図である。図４は、図１の筒型飛行体発射装置を上から見た平面図である。図５は、図１の筒型飛行体発射装置の動きを説明する側面断面図である。
【００１７】
図６は、本願発明に係る筒型飛行体発射装置の他の実施の形態を示す全体斜視図である。図７は、図６の筒型飛行体発射装置の動きを説明する側面断面図である。図８は、本願発明に係る筒型飛行体発射装置の他の実施の形態を示す全体側面図である。図９は、図８の筒型飛行体発射装置の動きを説明する全体側面図である。図１０は、図８の付勢手段の透視図である。図１１は、図８の付勢手段の分解斜視図である。
【００１８】
筒型飛行体発射装置１は、図１乃至図５に示すように、装置本体２を有する。装置本体２には、筒型飛行体７６を取り付けるガイド軸４０と、前記ガイド軸４０と接触可能な回転体２６と、回転体２６を強制的に回転させる付勢手段３０とが設けられている。装置本体２には、ガイド軸４０に取り付けられた筒型飛行体７６と回転体２６を接離させる接離装置５０が設けられている。付勢手段３０は、回転体２６に連係された歯車３２と、この歯車３２と噛み合うラック部材３５とによって構成されている。
【００１９】
なお、付勢手段８０は、図６，７に示すように、回転体２６に直接又は複数の歯車を介して連係された駆動モータ８１と、駆動モータ８１に電気を供給する供給手段８２と、供給手段８２をＯＮ・ＯＦＦするスイッチ８３とによって構成されても良い。また、付勢手段８５は、図８乃至図１１に示すように、回転体２６に連係された歯車３２と、この歯車３２と噛み合い可能な駆動歯車８６と、この駆動歯車８６を回転させるゼンマイ９０と、このゼンマイ９０を巻き上げる紐部材８７とによって構成されても構わない。
【００２０】
接離装置５０は、ガイド軸４０の軸方向を変えないようにしてガイド軸４０を回転体２６に接離させるものである。すなわち、ガイド軸４０が回転体２６に接触している状態でのガイド軸４０の軸方向と、回転体２６と接触していない状態でのガイド軸４０の軸方向は略平行である。上記接離装置５０は、ガイド軸４０を取り付ける取付枠５１と、取付枠５１を装置本体２に回動自在に連結する連結リンク部材５７，５９，６２，６３と、連結リンク部材５７，５９，６２，６３を操作する操作手段７０とからなる。
【００２１】
また、ガイド軸４０は円筒状に形成されており、その周面４１には、突起４２が複数形成されており、突起４２の各々はガイド軸４０の軸方向の周囲を巡る螺旋を描くように周面４１上に形成されている。回転体２６は、ガイド軸４０と接する位置における回転方向がガイド軸４０の軸方向に対して傾斜するように取り付けられている。例えば、回転体２６は、その回転方向がガイド軸４０上の回転体２６と接する位置若しくはその近傍を通過する突起４２と略平行となるように取り付けられている。上記ガイド軸４０上の回転体２６と接する位置には、該位置にて回転体２６と略同じ回転方向に回転可能なガイドローラ４３が回動自在に設けられ、筒型飛行体７６を回転体２６とガイドローラ４３で挟持できるようになっている。
【００２２】
筒型飛行体発射装置１の第１の実施の形態について詳細に説明する。装置本体２は、第１の収容室２０と第２の収容室２１と第３の収容室２２を有する。第１の収容室２０は、第１の底壁３と、第１の底壁３の左右両側に設けられた下左壁５及び下右壁６と、下左壁５及び下右壁６の上端に設けられた円形の第１の上壁１０とからなる。
【００２３】
第２の収容室２１は、第１の底壁３に下中間壁７を介して連設された第２の底壁９と、第１の上壁１０に上中間壁１１を介して連設された第２の上壁１２とからなる。第３の収容室２２は、第２の上壁１２及び第１の上壁１０の左右両側に設けられた上左壁１３及び上右壁１５と、上左壁１３及び上右壁１５の上端に設けられた第３の上壁１６と、第２の上壁１２の略中央部に設けられた当接壁１７とからなる。
【００２４】
第１の収容室２０は、第２の収容室２１に対して、所定角度屈曲しており、前部２４及び後部２５が開放されている。この第２の収容室２１内には、回転体２６が回動自在に設けられている。回転体２６は、金属、硬質プラスチック等のある程度の重さを有する素材によって円板状に形成され、フライホイールの如く慣性により回転が持続するようになっている。この回転体２６の周縁には、略コ字状の溝２７が形成され、この溝２７に環状の接触部材２９が嵌着されている。接触部材２９は、ゴム、スポンジ等の摩擦抵抗の大きい素材によって形成されている。
【００２５】
この回転体２６は、これの中心に回転軸３１が固定して設けられ、この回転軸３１が第１の収容室２０の下左壁５及び下右壁６に回動自在に取り付けられている。また第１の収容室２０内には、回転体２６を付勢して回転させる付勢手段３０が設けられている。この付勢手段３０は、歯車３２とラック部材３５とからなる。
【００２６】
歯車３２は、前記回転軸３１に固着されている。この歯車３２の下部近傍であって、下左壁５には、案内ローラ３３が回動自在に設けられている。ラック部材３５は、合成樹脂によって形成され、一端に把持部３６が設けられ、一方の面に歯車３２と噛み合う歯３７が形成されている。ラック部材３５は、一方の面に形成された歯３７が歯車３２と噛み合うようにして、歯車３２と案内ローラ３３の間に介挿される。
【００２７】
ガイド軸４０は、筒状に形成され、周面４１に、突起４２が複数形成されている。突起４２の各々はガイド軸４０の軸方向を巡る螺旋を描くように周面４１上に形成されている。また、回転体２６は、その回転方向がガイド軸４０上の回転体２６と接する位置若しくはその近傍を通過する突起４２と略平行となるように取り付けられている。即ち、回転体２６は、ガイド軸４０と接する位置における回転方向がガイド軸４０の軸方向に対して傾斜するように取り付けられている。
【００２８】
また、ガイド軸４０上の回転体２６と接する位置には、ガイドローラ４３が回動自在に設けられている。ガイドローラ４３は、これの中心に回転軸４５が設けられ、この回転軸４５がガイド軸４０内の軸受け部に回動自在に取り付けられ、ガイド軸４０の下部に形成された開口４６からガイドローラ４３の一部が突出している。このガイドローラ４３の突出高さは、突起４２と略同じである。
【００２９】
ガイドローラ４３は、ガイド軸４０が回転体２６と接した際、その回転方向が回転体２６と略同じ方向となるように設けられている。即ち、ガイド軸４０上の回転体２６と接する位置には、該位置にて回転体２６と略同じ回転方向に回転可能なガイドローラ４３が回動自在に設けられ、後記筒型飛行体７６を回転体２６とガイドローラ４３で挟持できるようになっている。
【００３０】
ガイド軸４０は、接離装置５０に取り付けられている。接離装置５０は、ガイド軸４０を取り付ける取付枠５１を有する。取付枠５１は、ガイド軸４０の後端をネジ、接着剤等により固定して取り付ける取付板５２と、取付板５２の左右両端に設けられた略菱形状の左側板５４及び右側板５５とからなる。
【００３１】
左側板５４の前端は、支軸５６を介して左前連結リンク部材５７の上部に回動自在に連結されている。右側板５５の前端は、支軸５６を介して右前連結リンク部材５９の上部に回動自在に連結されている。左前連結リンク部材５７の下部と右前連結リンク部材５９の下部は、上左壁１３及び上右壁１５に回動自在に設けられた前連結軸６０に回動自在に取り付けられている。
【００３２】
左側板５４及び右側板５５の後端は、中間連結軸６１に回動自在に連結されている、この中間連結軸６１の両側に、左後連結リンク部材６２の上部と右後連結リンク部材６３の上部が回動自在に連結されている。左後連結リンク部材６２の下部と右後連結リンク部材６３の下部は、上左壁１３及び上右壁１５に回動自在に設けられた後連結軸６５に固定して取り付けられている。後連結軸６５の略中央には、小歯車６７が固定して取り付けられている。
【００３３】
左後連結リンク部材６２及び右後連結リンク部材６３は、略菱形に形成され、中間部が当接壁１７の当接可能であり、中間部が当接壁１７に当接すると、中間連結軸６１が第３の上壁１６に設けられた係止部材６９に係止されるようになっている。
【００３４】
第２の底壁９には、筒状の握り部７１がネジ７２によって固定して取り付けられている。握り部７１には、操作手段７０が設けられている。操作手段７０は、指掛け部材７３と、指掛け部材７３を前方に付勢する弾性部材７４とからなる。指掛け部材７３は、握り部７１の上部に、前後方向に摺動自在に設けられている。
【００３５】
指掛け部材７３は、握り部７１内に設けられたコイルスプリング状の弾性部材７３によって前方に付勢されるようになっており、上端にラック７５が形成されている。ラック７５は、第２の上壁１２に形成された開口１８から突出し、前記小歯車６７と噛み合うようになっている。ガイド軸４０に嵌挿して取り付けられる筒型飛行体７６は、プラスチック、紙、金属板等によって形成され、前端周縁が均等に若干重たくなるように、錘部材が設けられている。
【００３６】
筒型飛行体発射装置１は、上記構成を有し、筒型飛行体７６をガイド軸４０に取付板５２に当接するまで嵌挿する。このとき接離装置５０によりガイド軸４０は回転体２６と接しない状態（図１の状態）とされているため、筒型飛行体７６は回転体２６から接しておらず離間している。この状態で付勢手段３０のラック部材３５を第１の収容室２０の後部２５から差し込んで、歯車３２と案内ローラ３３の間に介挿し、ラック部材３５の歯３７を歯車３２と噛み合わせる。把持部３６を握って、ラック部材３５を後方に引っ張ると、ラック部材３５の歯３７，歯車３２、回転軸３１を介して回転体２６が付勢され、回転体２６が回転する。このとき、接離装置５０により筒型飛行体７６は回転体２６と接していないため、まだ発射されない。したがって、遊戯者は回転体２６の回転が安定した状態などより発射に適したタイミングを選んで後述する操作手段７０の操作を行ない筒型飛行体７６を発射できる。
【００３７】
遊戯者が所望のタイミングで握り部７１を握って、操作手段７０の指掛け部材７３に指を掛け、弾性部材７４の弾性に抗して指掛け部材７３を後方に引くと、ラック７５、小歯車６７、連結軸６５を介して左後連結リンク部材６２及び右後連結リンク部材６３が前方に傾く方向（反時計方向）に回転し、中間連結軸６１が係止部材６９から外れ、同時に左前連結リンク部材５７及び右前連結リンク部材５９も前方に傾く方向（反時計方向）に回転する。
【００３８】
取付枠５１は、図２，５に示すように、ガイド軸４０の軸方向が常に前方に向きながら下方に移動し、ガイド軸４０を回転体２６に接触させる。回転体２６は、その回転方向がガイド軸４０の軸方向に対して傾斜しているため、ガイド軸４０に嵌挿した筒型飛行体７６にガイド軸４０の円周方向への回転を与えながら前方に押し出す。筒型飛行体７６は、ガイド軸４０の周面４１に螺旋状の突起４２が複数形成されているので、摩擦抵抗が小さく、滑らかに回転する。筒型飛行体７６は、滑らかに回転しながらガイド軸４０から発射され、回転しながら飛行する。従って、回転しないで発射される場合に比べ、飛行距離が長くなっており、しかも変化せず真っ直ぐに飛ばすことができる。
【００３９】
ガイド軸４０には、回転体２６が接触するガイドローラ４３が設けられ、筒型飛行体７６を回転体２６とガイドローラ４３で挟持するようにしているので、回転体２６がガイド軸４０に接触して受ける抵抗が少なく、回転体２６の回転を損失することなく、筒型飛行体７６に伝えることができる。また、回転体２６には、摩擦抵抗の大きい素材で形成された環状の接触部材２９が設けられ、この接触部材２９によって筒型飛行体７６を滑らずに押し出すので、回転体２６の回転が確実に筒型飛行体７に伝達される。
【００４０】
操作手段７０の指掛け部材７３から指を外し、ガイド軸４０を把持して後方に引き戻すと、ガイド軸４０が回転体２６から離れ、中間連結軸６１が係止部材６９に係止され、最初の状態に復帰する。なお、弾性部材７４の弾性が強い場合には、操作手段７０の指掛け部材７３から指を外すと、弾性部材７４の弾性により指掛け部材７３が前方に移動し、ラック７５、小歯車６７、連結軸６５を介して左後連結リンク部材６２及び右後連結リンク部材６３が後方に傾く方向（時計方向）に回転し、同時に左前連結リンク部材５７及び右前連結リンク部材５９も後方に傾く方向（時計方向）に回転し、ガイド軸４０の軸方向が常に前方に向きながら取付枠５１が上方に移動し、ガイド軸４０を回転体２６から離し、中間連結軸６１が係止部材６９に係止され、最初の状態に復帰する。
【００４１】
上記実施の形態では、付勢手段３０を、歯車３２とラック部材３５で構成したが、図６，７に示すように、付勢手段８０を、回転体２６に直接又は複数の歯車を介して連係された駆動モータ８１と、駆動モータ８１に電気を供給する供給手段（電池）８２と、供給手段８２をＯＮ・ＯＦＦするスイッチ８３とによって構成しても構わない。駆動モータ８１は、下左壁５に設けられ、供給手段（電池）８２及びスイッチ８３が握り部７１に設けられている。
【００４２】
上記したように、握り部７１を握って、操作手段７０の指掛け部材７３に指を掛け、弾性部材７４の弾性に抗して指掛け部材７３を後方に引くと、スイッチ８３がＯＮとなって、駆動モータ８１が駆動して回転体２６が回転し、その後ガイド軸４０の筒型飛行体７６が回転体２６に接触して、発射させられる。操作手段７０の指掛け部材７３から指を外して、ガイド軸４０を把持して後方に引き戻し、ガイド軸４０を元の位置に復帰させると、弾性部材７４の弾性により指掛け部材７３が前方に移動し、スイッチ８３がＯＦＦとなって、駆動モータ８１の駆動が停止する。
【００４３】
また、付勢手段８５は、図８乃至図１１に示すように、回転体２６に連係された歯車３２と、この歯車３２と噛み合い可能な駆動歯車８６と、この駆動歯車８６を回転させるゼンマイ９０と、このゼンマイ９０を巻き上げる紐部材８７とによって構成されても構わない。
【００４４】
付勢手段８５は、図１０に示すように、装置本体２内に設けられている。付勢手段８５は、図１１に示すように、枠体８９を有する。枠体８９は、一対の側板９１，９２と、一対の側板９１，９２間に設けられた間隔保持軸９３・・と、一対の側板９１，９２を固定するネジ８８・・とからなる。一方の側板９１には、係止溝９５が形成された固定軸筒９６が設けられている。
【００４５】
駆動歯車８６は、固定軸筒９６に回動自在に取り付けられるようになっており、一方の面の中心に固定軸筒９６内に回動自在に差し込まれる回転軸９７が設けられ、この回転軸９７を中心として環状の側壁９９が形成され、この側壁９９によってゼンマイ９０を収容する収容室１００が構成されている。側壁９９の一側には係止溝１０１が形成されている。収容室１００は、フランジ部材１０２によって塞がるようになっており、フランジ部材１０２の中心に固定軸筒９６を挿通する透孔１０３が形成されている。
【００４６】
ゼンマイ９０は、収容室１００内に収容され、一端９０ａが固定軸筒９６の係止溝９５に係止され、他端９０ｂが側壁９９の係止溝１０１に係止されている。前記環状の側壁９９は、紐部材８７を巻き付ける胴部となり、紐部材８７の一端が固定して取り付けられている。紐部材８７は、他端がスプリング状の案内管１０５に挿通されて、指掛けリング１０６に固定されている。
【００４７】
枠体８９は、装置本体２内に支軸１０７によって回動自在に取り付けられ、且つ支軸１０７に巻装されたバネ状の弾性部材１０９によって、駆動歯車８６が回転体２６に固定された歯車３２から離れる方向に付勢されている。
【００４８】
付勢手段８５は、指掛けリング１０６に指を掛け、紐部材８７を引っ張ると、枠体８９が弾性部材１０９の弾性に抗して支軸１０７を中心として一方に回動し、駆動歯車８６が回転体２６に連係された歯車３２と噛み合う。さらに紐部材８７が引っ張られることにより、紐部材８７が延びていき、側壁９９が回転して駆動歯車８６も回転し、この駆動歯車８６と噛み合う歯車３２を介して回転体２６が回転する。また、収容室１００内に収容されたゼンマイ９０は、側壁９９の回転により弾性が蓄えられている。
【００４９】
紐部材８７を引っ張って延ばし、紐部材８７を引っ張るのを止めると、枠体８９が弾性部材１０９の弾性によって支軸１０７を中心として他方に回動し、駆動歯車８６が歯車３２から離れる。紐部材８７は、ゼンマイ９０の弾性により側壁９９が逆回転して紐部材８７を巻き付ける。このように、紐部材８７の引っ張りと解放を繰り返すことによって、回転体２６を高速回転させることができる。
【００５０】
【発明の効果】
以上説明してきたように、本願請求項１に係る筒型飛行体発射装置は、装置本体に、筒型飛行体を取り付けるガイド軸と、前記ガイド軸と接触可能な回転体と、回転体を強制的に回転させる付勢手段とが設けられているので、筒型飛行体を自動的に発射させることができ、経験とある程度の力が不要なので、子どもであっても簡単に、筒型飛行体を発射して飛行させることができるという効果がある。
【００５１】
本願請求項２に係る筒型飛行体発射装置は、上記効果に加え、ガイド軸に取り付けられた筒型飛行体と回転体を接離させる接離装置が設けられているので、ガイド軸を回転体から離間した状態でガイド軸に筒型飛行体を脱着でき、脱着が容易であるという効果がある。
【００５２】
本願請求項３に係る筒型飛行体発射装置は、上記効果に加え、付勢手段が、回転体に連係された歯車と、この歯車と噛み合うラック部材とによって構成されているので、安価に製造することができ、容易に回転体を回転させることができるという効果がある。
【００５３】
本願請求項４に係る筒型飛行体発射装置は、上記効果に加え、付勢手段が、回転体に直接又は複数の歯車を介して連係された駆動モータと、駆動モータに電気を供給する供給手段と、供給手段をＯＮ・ＯＦＦするスイッチとによって構成されているので、回転体を回転させる負担がなく、常に一定の回転数で回転体を回転させることができ、筒型飛行体を安定且つ確実に発射させることができるという効果がある。
【００５４】
本願請求項５に係る筒型飛行体発射装置は、上記効果に加え、付勢手段が、回転体に連係された歯車と、この歯車と噛み合い可能な駆動歯車と、この駆動歯車を回転させるゼンマイと、このゼンマイを巻き上げる紐部材とによって構成されているので、安価に製造することができ、回転体を高速回転させることができるという効果がある。
【００５５】
本願請求項６，７に係る筒型飛行体発射装置は、上記効果に加え、接離装置が、ガイド軸の軸方向を変えないようにしてガイド軸を回転体に接離させるものであり、ガイド軸を取り付ける取付枠と、取付枠を装置本体に回動自在に連結する連結リンク部材と、連結リンク部材を操作する操作手段とからなるので、筒型飛行体を所望する方向に確実に発射させることができるという効果がある。
【００５６】
本願請求項８に係る筒型飛行体発射装置は、上記効果に加え、ガイド軸の周面に、複数の突起が形成され、該突起はガイド軸の軸方向の周囲を巡る螺旋状に形成されているので、摩擦抵抗を減らし、筒型飛行体を滑らかに回転させて発射させることができ、所望する方向に真っ直ぐに飛ばすことができるという効果がある。
【００５７】
本願請求項９に係る筒型飛行体発射装置は、上記効果に加え、回転体が、回転方向がガイド軸の螺旋状の突起と略平行となるように取り付けられているので、回転体が筒型飛行体を回転させながら押し出すことになり、螺旋状の突起と相俟って、飛距離を伸ばすことができるという効果がある。
【００５８】
本願請求項１０に係る筒型飛行体発射装置は、上記効果に加え、ガイド軸に、回転体と略同じ回転方向に回転可能なガイドローラが回動自在に設けられ、筒型飛行体を回転体とガイドローラで挟持できるようになっているので、回転体の回転を損失することなく筒型飛行体に伝えることができるという効果がある。
【図面の簡単な説明】
【図１】本願発明に係る筒型飛行体発射装置の一つの実施の形態を示す全体斜視図である。
【図２】図１の筒型飛行体発射装置の動きを説明する全体斜視図である。
【図３】図１の筒型飛行体発射装置の透視図である。
【図４】図１の筒型飛行体発射装置を上から見た平面図である。
【図５】図１の筒型飛行体発射装置の動きを説明する側面断面図である。
【図６】本願発明に係る筒型飛行体発射装置の他の実施の形態を示す全体斜視図である。
【図７】図６の筒型飛行体発射装置の動きを説明する側面断面図である。
【図８】本願発明に係る筒型飛行体発射装置の他の実施の形態を示す全体側面図である。
【図９】図８の筒型飛行体発射装置の動きを説明する全体斜側面図である。
【図１０】図８の付勢手段の透視図である。
【図１１】図８のゼンマイ駆動手段の分解斜視図である。
【符号の説明】
１  筒型飛行体発射装置
２  装置本体
３  第１の底壁
５  下左壁
６  下右壁
７  下中間壁
９  第２の底壁
１０  第１の上壁
１１  上中間壁
１２  第２の上壁
１３  上左壁
１５  上右壁
１６  第３の上壁
１７  当接壁
１８  開口
２０  第１の収容室
２１  第２の収容室
２２  第３の収容室
２４  前部
２５  後部
２６  回転体
２７  溝
２９  接触部材
３０  付勢手段
３１  回転軸
３２  歯車
３３  案内ローラ
３５  ラック部材
３６  把持部
３７  歯
４０  ガイド軸
４１  周面
４２  突起
４３  ガイドローラ
４５  回転軸
４６  開口
５０  接離装置
５１  取付枠
５２  取付板
５４  左側板
５５  右側板
５６  支軸
５７  左前連結リンク部材
５９  右前連結リンク部材
６０  前連結軸
６１  中間連結軸
６２  左後連結リンク部材
６３  右後連結リンク部材
６５  後連結軸
６７  小歯車
６９  係止部材
７０  操作手段
７１  握り部
７２  ネジ
７３  指掛け部材
７４  弾性部材
７５  ラック
７６  筒型飛行体
８０  付勢手段
８１  駆動モータ
８２  供給手段（電池）
８３  スイッチ
８５  付勢手段
８６  駆動歯車
８７  紐部材
８８  ネジ
８９  枠体
９０  ゼンマイ
９１  側板
９２  側板
９３  間隔保持軸
９５  係止溝
９６  固定軸筒
９７  回転軸
９９  側壁
１００  収容室
１０１  係止溝
１０２  フランジ部材
１０３  透孔
１０５  案内管
１０６  指掛けリング
１０７  支軸
１０９  弾性部材
【図１】
2004229871.tif 000003
【図２】
2004229871.tif 000004
【図３】
2004229871.tif 000005
【図４】
2004229871.tif 000006
【図５】
2004229871.tif 000007
【図６】
2004229871.tif 000008
【図７】
2004229871.tif 000009
【図８】
2004229871.tif 000010
【図９】
2004229871.tif 000011
【図１０】
2004229871.tif 000012
【図１１】
2004229871.tif 000013